(57)【特許請求の範囲】
【請求項１】
バルコニーの溝部分に設けるようになされたバルコニー用溝ふたであって、
長尺の板状に形成され、その表面には、長手方向に沿った中心部が、長手方向に沿った両側部よりも高くなるように階段状の段差が形成され、裏面には、長手方向に沿った両側部にスペーサおよびストッパと係合可能なレール部が形成されてなる本体と、
前記レール部に係合可能な係合部が形成され、この係合部に係合して溝部に設けた状態で、床面と本体との間に間隙を形成するようになされたスペーサと、
前記レール部に係合可能な係合部が形成され、この係合部に係合して溝部に設けた状態で、床面と、この床面に隣接する溝の立上り壁とに当接される断面略Ｌ字状に形成されるとともに、床面と本体との間に間隙を形成するようになされたストッパとを具備し、
スペーサおよびストッパは、本体のレール部に適宜の間隔を存して自由に係合できるとともに、隣接する本体の端縁部間をまたぐようにレール部間に係合して複数の本体を接続できるようになされたことを特徴とするバルコニー用溝ふた。
【請求項２】
本体は、レール部の何れか片方の側縁部から外方向に延設部が設けられ、それぞれのレール部から側縁部までの距離は、この延設部のぶんだけ片方が長くなるように形成された請求項１記載のバルコニー用溝ふた。
【請求項３】
本体よりも幅狭な長尺板状に形成され、その表面には、長手方向に沿った中心部が、長手方向に沿った両側部よりも高くなるように階段状の段差が形成され、裏面には、ジョイントスペーサと係合可能なジョイントレール部が長手方向に沿って形成されてなる幅調整材と、
本体のレール部に係合可能な係合部と、幅調整材のジョイントレール部に係合可能なジョイント係合部とが設けられ、幅調整材を本体に隣接して設けた状態で、本体の幅調整材側のレール部と係合部が係合し、幅調整材のジョイントレール部とジョイント係合部とが係合する長さに形成され、幅調整材と床面との間に間隙を形成するとともに、床面と、この床面に隣接する溝の立上り壁とに当接する断面略Ｌ字状に形成されたジョイントストッパと、
をさらに具備することを特徴とする請求項１または２記載のバルコニー用溝ふた。
【請求項４】
本体よりも幅狭な長尺板状に形成され、その表面には、長手方向に沿った中心部が、長手方向に沿った両側部よりも高くなるように階段状の段差が形成され、裏面には、ジョイントスペーサと係合可能なジョイントレール部が長手方向に沿って形成されてなる幅調整材と、
本体のレール部に係合可能な係合部と、幅調整材のジョイントレール部に係合可能なジョイント係合部とが設けられ、幅調整材を本体に隣接して設けた状態で、本体の幅調整材側のレール部と係合部が係合し、幅調整材のジョイントレール部とジョイント係合部とが係合する長さに形成され、幅調整材と床面との間に間隙を形成するようになされたジョイントスペーサと、
をさらに具備することを特徴とする請求項１ないし３の何れか一記載のバルコニー用溝ふた。
【請求項５】
床面に化粧材が設けられたバルコニーにおいて、化粧材が設けられていない溝部分に、請求項１または２記載の溝ふたを設けて構成されるバルコニーの溝ふた構造であって、
一方のレール部にスペーサを設け、他方のレール部にストッパを設け、
スペーサを化粧材の端縁部側のバルコニーの床面に当接し、
ストッパを、溝部を挟んで化粧材の端縁部と対向する側のバルコニーの床面と、この床面に隣接する溝の立上り壁とに当接して溝上に本体を設け、溝部の方向にずれようとする化粧材を本体を介してストッパで止めるようになされたことを特徴とするバルコニーの溝ふた構造。
【請求項６】
排水口部分の溝部上に設けられた本体を除く、他の溝部上に設けられた本体は、この他の溝部の長さに相当するように、スペーサおよびストッパを介して複数の本体間が接続されてなる請求項５記載のバルコニーの溝ふた構造。
【請求項７】
本体にジョイントストッパを介して幅調整材が隣接するように設けられ、この幅調整材によって、化粧材と本体とで被覆できない床面部分が被覆されてなる請求項３記載の溝ふたによるバルコニーの溝ふた構造。
【請求項８】
本体にジョイントスペーサを介して幅調整材が隣接するように設けられ、この幅調整材によって、化粧材と本体とで被覆できない床面部分が被覆されてなる請求項４記載の溝ふたによるバルコニーの溝ふた構造。
【発明の詳細な説明】
【技術分野】
【０００１】
本発明は、住宅建物のバルコニー用溝ふたと、この溝ふたを用いたバルコニー溝構造とに関するものである。
【背景技術】
【０００２】
一般に、住宅建物のバルコニーにおいては、バルコニー先端側に向かって水が流れる水勾配を設けるとともに、この水勾配の下流部位に溝を設け、バルコニーの雨水を溝から排水口を介して回収するように排水経路を構成している。
【０００３】
従来より、このようなバルコニーの床面には、溝を含めた全体に化粧材を敷設することが行われていた（例えば、特許文献１参照）。
【特許文献１】特開平１１−３４３７２２号公報
【発明の開示】
【発明が解決しようとする課題】
【０００４】
しかし、バルコニーには、落ち葉や砂埃などが堆積し易いので、これらの落ち葉や砂埃は、降雨などによって溝へと流されることとなる。したがって、上記従来のようにバルコニーの全体を化粧材で被覆した場合、落ち葉や砂埃などは、溝に溜まり、排水不良を起こすことが懸念されることとなる。
【０００５】
そのため、溝の掃除がし易いように、この溝の部分に化粧材を設けないことも考えられるが、この場合、溝の部分だけ化粧材が無いので、見た目が悪くなってしまう。また、化粧材を設けていないことによって、溝の方向に化粧材がずれ易くなってしまい、さらに見た目が悪化することが懸念される。
【０００６】
また、溝の部分に溝専用の溝ふたを設けることも考えられるが、化粧材の厚みや大きさ自体が多種多用であるため、これらに対応するために化粧材毎に専用の溝ふたが必要となってしまう。また、溝に専用の溝ふたを設けたとしても、定期的なメンテナンスのために溝ふたを外して溝内の掃除をしなければならないが、このような定期的な取外しを考慮した溝ふたは無かった。
【０００７】
本発明は、係る実情に鑑みてなされたものであって、バルコニーで汎用されている各種化粧材に対応でき、しかも安全性、メンテナンス性に優れたバルコニー用溝ふたと、これを用いたバルコニー溝構造とを提供することを目的としている。
【課題を解決するための手段】
【０００８】
上記課題を解決するための本発明のバルコニー用溝ふたは、バルコニーの溝部分に設けるようになされたバルコニー用溝ふたであって、長尺の板状に形成され、その表面には、長手方向に沿った中心部が、長手方向に沿った両側部よりも高くなるように階段状の段差が形成され、裏面には、長手方向に沿った両側部にスペーサおよびストッパと係合可能なレール部が形成されてなる本体と、前記レール部に係合可能な係合部が形成され、この係合部に係合して溝部に設けた状態で、床面と本体との間に間隙を形成するようになされたスペーサと、前記レール部に係合可能な係合部が形成され、この係合部に係合して溝部に設けた状態で、床面と、この床面に隣接する溝の立上り壁とに当接される断面略Ｌ字状に形成されるとともに、床面と本体との間に間隙を形成するようになされたストッパとを具備し、スペーサおよびストッパは、本体のレール部に適宜の間隔を存して自由に係合できるとともに、隣接する本体の端縁部間をまたぐようにレール部間に係合して複数の本体を接続できるようになされたものである。また、本体は、レール部の何れか片方の側縁部から外方向に延設部が設けられ、それぞれのレール部から側縁部までの距離は、この延設部のぶんだけ片方が長くなるように形成されたものである。
【０００９】
また、上記課題を解決するための本発明のバルコニー用溝ふたは、上記バルコニー用溝ふたにおいて、本体よりも幅狭な長尺板状に形成され、その表面には、長手方向に沿った中心部が、長手方向に沿った両側部よりも高くなるように階段状の段差が形成され、裏面には、ジョイントスペーサと係合可能なジョイントレール部が長手方向に沿って形成されてなる幅調整材と、本体のレール部に係合可能な係合部と、幅調整材のジョイントレール部に係合可能なジョイント係合部とが設けられ、幅調整材を本体に隣接して設けた状態で、本体の幅調整材側のレール部と係合部が係合し、幅調整材のジョイントレール部とジョイント係合部とが係合する長さに形成され、幅調整材と床面との間に間隙を形成するとともに、床面と、この床面に隣接する溝の立上り壁とに当接する断面略Ｌ字状に形成されたジョイントストッパと、をさらに具備するものである。
【００１０】
さらに、上記課題を解決するための本発明のバルコニー用溝ふたは、上記バルコニー用溝ふたにおいて、本体よりも幅狭な長尺板状に形成され、その表面には、長手方向に沿った中心部が、長手方向に沿った両側部よりも高くなるように階段状の段差が形成され、裏面には、ジョイントスペーサと係合可能なジョイントレール部が長手方向に沿って形成されてなる幅調整材と、本体のレール部に係合可能な係合部と、幅調整材のジョイントレール部に係合可能なジョイント係合部とが設けられ、幅調整材を本体に隣接して設けた状態で、本体の幅調整材側のレール部と係合部が係合し、幅調整材のジョイントレール部とジョイント係合部とが係合する長さに形成され、幅調整材と床面との間に間隙を形成するようになされたジョイントスペーサと、をさらに具備するものである。
【００１１】
上記課題を解決するための本発明の溝ふた構造は、床面に化粧材が設けられたバルコニーにおいて、化粧材が設けられていない溝部分に、上記溝ふたを設けて構成されるバルコニーの溝ふた構造であって、一方のレール部にスペーサを設け、他方のレール部にストッパを設け、スペーサを化粧材の端縁部側のバルコニーの床面に当接し、ストッパを、溝部を挟んで化粧材の端縁部と対向する側のバルコニーの床面と、この床面に隣接する溝の立上り壁とに当接して溝上に本体を設け、溝部の方向にずれようとする化粧材を本体を介してストッパで止めるようになされたものである。また、排水口部分の溝部上に設けられた本体を除く、他の溝部上に設けられた本体は、この他の溝部の長さに相当するように、スペーサおよびストッパを介して複数の本体間が接続されてなるものである。
【００１２】
また、本体にジョイントストッパを介して幅調整材が隣接するように設けられ、この幅調整材によって、化粧材と本体とで被覆できない床面部分が被覆されてなるものである。      
【００１３】
さらに、本体にジョイントスペーサを介して幅調整材が隣接するように設けられ、この幅調整材によって、化粧材と本体とで被覆できない床面部分が被覆されてなるものである。
【発明の効果】
【００１４】
以上述べたように、本発明によれば、溝ふたの本体は、長尺の板状に形成し、その表面には、長手方向に沿った中心部が、長手方向に沿った両側部よりも高くなるように階段状の段差を形成しているので、厚みの異なる各種の化粧材に隣接して設けたとしても、違和感無く化粧材と一体化させることができる。
【００１５】
しかも、この本体の裏面には、一方のレール部にスペーサを設け、他方のレール部にストッパを設け、ストッパのみが床面と、この床面に隣接する溝部の立上り壁とに当接して位置きめされるだけで、スペーサは床面に当接しているだけなので、溝部の幅が若干異なるような場合であっても、この溝ふたを使用することができる。また、経時的使用によって化粧材が溝部の方向にずれようとするのを、本体を介してストッパで止めることができるので、施工時のままの意匠性を長期にわたって維持することができ、優れた耐久性および安全性を得ることができる。
【００１６】
さらに、スペーサおよびストッパによって、隣接する本体の端部間をまたぐようにレール部に係合することで、複数の本体を溝の長さに相当する長さに一体化することができるので、溝ふた全体を一挙に持ち上げて着脱することが可能となり、優れたメンテナンス性が得られることとなる。
【００１７】
さらに、本体のレール部の何れか片方の側縁部に延設部を設け、それぞれのレール部から側縁部までの距離を、この延設部のぶんだけ片方が長くなるように形成することで、溝ふたを施工した際の本体と化粧材との隙間の微調整が可能となり、綺麗な納まりで施工することが可能となる。
【００１８】
さらに、ジョイントスペーサおよびまたはジョイントストッパを用いて幅調整材を本体に隣接して設けることで、バルコニー手すり壁のセットバック部分や、排水口付近も、効率良く綺麗な納まりで施工することが可能となる。
【発明を実施するための最良の形態】
【００１９】
以下、本発明の実施の形態を図面を参照して説明する。
【００２０】
図１ないし図３は溝ふた１の全体構成の概略を示し、図４および図５は同溝ふた１を施工した状態を示している。
【００２１】
すなわち、この溝ふた１は、本体２とスペーサ３とストッパ４とを具備し、バルコニー５の溝部５０に設けることができるようになされている。
【００２２】
本体２は、幅約１７６ｍｍ、長さ約１０００ｍｍ、高さ約１３ｍｍの長尺の板状に形成された押出成形材からなる。材質としては、アルミニウムなどの金属製のものであってもよいし、樹脂製のものであってもよい。本体２の表面には、長手方向に沿った中心部が、長手方向に沿った両側部よりも約７ｍｍ高くなるように階段状の段差２１が形成され、断面がゆるやかな円弧状となされている。本体２の裏面には、長手方向に沿った両側部にスペーサ３およびストッパ４と係合可能なレール部２２が形成されている。本体２の片方の側縁部には、本体２の表面から一体化するように約８ｍｍの長さで延設部２３が形成されており、レール部２２から側縁部までの距離は、この延設部２３の長さのぶんだけ片方の側縁部が長くなるように形成されている。
【００２３】
スペーサ３は、幅約３４ｍｍ、長さ約４０ｍｍ、高さ約９ｍｍに形成されており、表面には、本体２のレール部２２と係合可能な係合部３１が突設されている。スペーサ３の裏面には、厚み約２ｍｍのクッション材３０を貼設して使用される。このスペーサ３は、本体２のレール部２２に係合部３１を押し込むことによってレール部２２に取り付けることができるようになされている。また、スペーサ３は、この本体２のレール部２２に係合した状態で、レール部２２に沿ってスライド移動させることができるようになされており、スペーサ３を本体２から取り外す際は、本体２の端部までスライド移動させて取り外すことができる。
【００２４】
ストッパ４は、上記スペーサ３と略同じ大きさに形成されており、長さ方向に沿った一側部から幅方向に約１／３の範囲が、裏面側から高さ方向に突設されて断面略Ｌ字状に形成されている。表面には本体２のレール部２２と係合可能な係合部４１が突設されている。ストッパ４の裏面は、平坦部４２から、略Ｌ字状に屈曲した突設部４３にかけて厚み約２ｍｍのクッション材４０を貼設して使用される。このストッパ４は、上記スペーサ３と同様に、本体２のレール部２２に係合部４１を押し込むことによってレール部２２に取り付けることができるようになされている。また、ストッパ４は、この本体２のレール部２２に係合した状態で、レール部２２に沿ってスライド移動させることができるようになされており、ストッパ４を本体２から取り外す際は、本体２の端部までスライド移動させて取り外すことができる。
【００２５】
このようにして構成される溝ふた１は、本体２の端部同士を付き合わせるようにして隣接して設けた状態で、本体２のレール部２２に係合したスペーサ３およびストッパ４をスライド移動させてこれら本体２の端縁部間をまたぐようにレール部２２間に位置させることで、これらスペーサ３およびストッパ４によって複数の本体２を接続することができる。もちろん、複数の本体２を接続せずに各本体２ごとに溝ふた１を構成することもできる。なお、溝ふた１は、本体２の小口でバルコニー５の防水層を傷つけてしまわないように、溝部５０と対向することとなる最端縁部の本体２には、樹脂製のキャップ６を取り付ける。
【００２６】
次に、この溝ふた１をバルコニー５の溝部分５０に施工する工程について説明する。
【００２７】
バルコニー５は、溝部５０以外の床面にあらかじめ化粧材５１を敷設しておく。
【００２８】
まず、溝ふた１を設ける前に、床面に敷設された化粧材５１の端縁から溝部５０までの距離を見極める。溝ふた１の本体２は、レール部２２から側縁部までの距離が、延設部２３の長さのぶんだけ片方の側縁部が長くなるように形成されている。したがって、床面に敷設された化粧材５１の端縁から溝部５０までの距離が長い場合は、本体２に延設部２３が設けられた側のレール部２２にスペーサ３を設けるとともに、他方のレール部２２にストッパ４を設け、この距離が短い場合は、本体２に延設部２３が設けられた側のレール部２２にストッパ４を設けるとともに、他方のレール部２２にスペーサ３を設ける。
【００２９】
この際、スペーサ３およびストッパ４を多く設け過ぎると、バルコニー５の床面と本体２との間隙が、これらスペーサ３およびストッパ４によって閉塞され過ぎることとなり、排水量が減るが溝ふた１の強度は向上する。逆に、スペーサ３およびストッパ４の数が少ないと、バルコニー５の床面と本体２との間隙を多く確保して排水量を増やすことができるが、本体２が撓みやすくなり、溝ふた１の強度低下が懸念される。したがって、レール部２２に設けるスペーサ３およびストッパ４の数としては、特に限定されるものでは無いが、バルコニー５に求められる排水量と、溝ふた１の強度との兼ね合いを考慮して設けられる。
【００３０】
このようにしてスペーサ３およびストッパ４を設けた溝ふた１は、化粧材５１の端縁のある側の床面にスペーサ３が位置し、溝部５０を挟んで化粧材５１の端縁と対向する側の床面と、この床面に隣接する溝の立上り壁とにストッパ４が当接するようにして溝部５０に設けられる。
【００３１】
この際、上記したように床面に敷設された化粧材５１の端縁から溝部５０までの距離に応じて、本体２の各レール部２２，２２にスペーサ３およびストッパ４を設けているので、図５（ａ）または（ｂ）に示すように、化粧材５１と溝ふた１とを隙間無く綺麗に納めることができる。
【００３２】
また、溝ふた１は、溝部５０の長さに応じて複数枚を設けることとなるが、隣接する溝ふた１同士は、本体２の端縁部間をまたぐようにスペーサ３およびストッパ４をスライド移動させ、これらスペーサ３およびストッパ４によって本体同士２，２を接続した状態にしてから溝部５０に設ける。これにより、溝ふた１は、溝部５０の長さ全体にわたって一体化することができる。したがって、溝部５０の清掃を行う際やメンテナンスなどの何らかの理由で溝ふた１を取り外す際も、溝ふた１全体を一挙に持ち上げて取り外し作業を効率良く容易に行なうことができる。
【００３３】
なお、溝ふた１を取り外す場合、溝部５０のゴミなどが流れ着く排水口５２の部分は、他の溝部５０よりも頻繁に掃除したりする機会が多い。したがって、溝ふた１は、この排水口５２に相当する部分だけ一体化せずに単独で取り外しできるようにしておくことが好ましい。
【００３４】
また、溝ふた１を取り外す際、溝ふた１は、本体２に取っ掛かりが無いので取外し難い。したがって、この排水口５２の上に設けた溝ふた１ａは、指をかけて溝ふた１を持ち上げることができるように、本体２に開口部２０を穿孔しておいてもよい。この場合、この開口部２０を設けた溝ふた１ａは、開口部２０に指をかけて容易に持ち上げることができ、簡単に取り外せることとなる。この溝ふた１ａを取り外した後、残りの溝ふた１は、溝部５０から溝ふた１の一端部を直接持って取り外すことができる。
【００３５】
このように施工した溝ふた構造によると、溝ふた１は、本体２のレール部２２から側縁部までの距離が、延設部２３の長さのぶんだけ片方の側縁部が長くなるように形成されているので、化粧材５１の端縁部から溝部５０までの距離に応じて、ストッパ３およびスペーサ４を設ける側のレール部２２を決定して溝部５０上に設けることで、化粧材５１との間に隙間無く、綺麗な納まりで溝ふた１を設けることが可能となる。
【００３６】
また、バルコニー５の床面に設けた化粧材５１が、排水勾配によって溝部５０側へとずれやすくなるのを、溝ふた１の本体２を介してストッパ４で止めることができる。したがって、優れた安全性、意匠性を維持することができる。また、溝ふた１は、溝部５０を挟んで化粧材５１の端縁部と対向する側の床面と、この床面に隣接する溝部５０の立上り壁とにストッパ４が当接されるが、化粧材５１側は、床面のみにスペーサ３が当接され、この床面に隣接する溝部５０の立上り壁には何も当接されない。したがって、溝ふた１は、ストッパ４のみによって溝部５０に設けた位置が規制されるだけで多少溝部５０の幅が広くなったり狭くなったりしてもこのストッパ４と対向する床面にスペーサ３を設けることができれば使用することができ、優れた汎用性が得られることとなる。
【００３７】
また、本体２の表面は、長手方向に沿った中心部が、長手方向に沿った両側部よりも高くなるように階段状の段差２１が形成され、断面がゆるやかな円弧状となされているので、溝ふた１を化粧材５１と隣接して設けた際に、溝ふた１の側縁部が化粧材５１よりも低くて段差を生じていたとしても、溝ふた１の長手方向に沿った中心部が高くなるので、溝ふた１と化粧材５１とは、違和感無く一体化することとなる。また、溝ふた１を化粧材５１と隣接して設けた際に、溝ふた１の側縁部が化粧材５１と同じ場合には、溝ふた１と化粧材５１とは、違和感無く一体化することは当然である。したがって、市販されている各種化粧材５１の厚みに応じて専用の溝ふた１を用いることなく優れた汎用性が得られ、綺麗な納まりで仕上ることができる。また、溝ふた１の側縁部が化粧材５１よりも高くなって段差を生じた場合であっても、スペーサ３やストッパ４の高さを変更することで、溝ふた１と化粧材５１とは、違和感無く一体化することができる。
【００３８】
また、本体２の表面は、断面がゆるやかな円弧状となっており、しかも長手方向に沿った中心部が、長手方向に沿った両側部よりも高くなるように階段状の段差２１を形成しているので、滑りを防止できるとともに、本体２表面の水溜りを起き難くして優れた安全性を確保することができる。水溜りを起き難くすることにより、水垢による本体２表面の汚れも防止できるとともに、水垢を発生したとしても、段差２１によって目立たなくすることができ、優れた意匠性が得られる。
【００３９】
さらに、溝ふた１を取り外す際、隣接する溝ふた１同士は、本体２の端縁部間をまたぐようにスペーサ３およびストッパ４をスライド移動させ、これらスペーサ３およびストッパ４によって本体同士２，２を接続した状態にして一体化しているので、溝ふた１を一つ毎に取り外す煩わしさも無く、溝部５０から一挙に取り外すことができ、優れたメンテナンス性が得られることとなる。また、排水口５２に相当する部分の溝ふた１ａだけを一体化せず単独で取り外しすることができるようにしておくことで、簡単に排水口５２の掃除をすることができ、優れたメンテナンス性が得られることとなる。このように、溝ふた１を構成する本体２をスペーサ３およびストッパ４で接続するか否かによって溝ふた１を一体化して設けたり、独立して設けたり、自由にアレンジすることができる。
【００４０】
さらに、施工した溝ふた１ががたつくようなことがあっても、スペーサ３およびストッパ４は、本体２のレール部２２に沿ってスライド移動させることができるので、スペーサ３およびストッパ４を自由な位置に動かしたり、スペーサ３およびストッパ４を追加して不陸調整し、溝ふた１のガタツキを防止することができる。
【００４１】
なお、本実施の形態において、溝ふた１を構成する本体２、スペーサ３、ストッパ４の各大きさは、特に限定されるものではなく、適宜変更したものであってもよい。特に本体２の長さについては、本実施の形態では、長さ約１０００ｍｍとなされているが、押出成形材であるため、自由に変更することができる。
【００４２】
図６および図７は、本発明に係る他の溝ふた１を示し、図８および図９は、同溝ふた１を用いたバルコニー５の溝ふた構造を示している。
【００４３】
すなわち、このバルコニー５は、ピロティ壁５３と、ピロティ壁５３の外側に沿って手すり壁５４とが設けられている。また、ピロティ壁５３に沿って溝部５０が設けられている。手すり壁５４と溝部５０との間には、ジョイントストッパ４ａを介して本体２と幅調整材２４とを一体化し、この幅調整材２４によって、化粧材５１と本体２とで被覆できない床面部分を被覆するようになされている。
【００４４】
幅調整材２４は、上記した本体２の幅が、約１７６ｍｍから約６４ｍｍへと狭く形成されている。本体２よりも幅が狭くなっているので、幅調整材２４の裏面には、幅全体にわたって長手方向に沿った１本のジョイントレール部２５が形成されている。片方の側縁部には延設部２３が設けられている。その他については、上記した本体２と同様に構成されている。本体２と同部材には同符号を付して説明を省略する。
【００４５】
ジョイントストッパ４ａは、上記したストッパ４の平坦部４２の幅が、約３４ｍｍから約１０６ｍｍへと延設されたもので、この平坦部４２の延設された表面には、上記した幅調整材２４のジョイントレール部２５と係合可能なジョイント係合部４４が形成されている。平坦部４２の延設された裏面には、厚み約２ｍｍのクッション材４０を貼設して使用される。その他については、上記したストッパ４と同様に構成されている。ストッパ４と同部材には同符号を付して説明を省略する。
【００４６】
このバルコニー５は、溝部５０からピロティ壁５３までの距離よりも、溝部５０から手すり壁５４までの距離が長くなり、この部分に間隙が形成されることになっているが、この溝ふた構造によると、この間隙部分を幅調整材２４によって被覆することができる。しかも、この幅調整材２４は、溝ふた１の本体２と幅が異なるだけで本体２と同様に構成されているため、一体感が得られることとなり、綺麗な納まりで施工することができる。
【００４７】
なお、この溝ふた構造において、溝部５０に本体２のみを施工した部分の溝ふた１と、本体２と幅調整材２４とを接続して施工した部分の溝ふた１とは、図８（ａ）に示すように、隣り合う本体２，２同士をスペーサ３およびストッパ４で接続して一体化を図っても良いし、図８（ｂ）に示すように、それぞれの端部にキャップ６を設けて、それぞれの部位毎に独立して取り外しができるようにしてもよい。
【００４８】
図１０は本発明に係るさらに他の溝ふた１を示し、図１１は同溝ふた１を用いたバルコニー５の溝ふた構造を示している。
【００４９】
すなわち、このバルコニー５は、溝部５０の水が集中する排水口５２の周囲が、溝部５０よりも広い幅で凹設されている。この排水口５２の周囲の凹設部５５は、ジョイントスペーサ３ａをを介して本体２と幅調整材２４とを一体化し、この本体２と幅調整材２４によって、被覆するようになされている。
【００５０】
ジョイントスペーサ３ａは、上記したスペーサ３の幅が、約３４ｍｍから約１０６ｍｍへと延設されたもので、この延設された表面には、上記した幅調整材２４のジョイントレール部２５と係合可能なジョイント係合部３２が形成されている。ジョイントスペーサ３ａの延設された裏面には、厚み約２ｍｍのクッション材３０を貼設して使用される。その他については、上記したスペーサ３と同様に構成されている。スペーサ３と同部材には同符号を付して説明を省略する。
【００５１】
この溝ふた構造によると、溝部５０よりも広い幅に拡幅された凹設部５５を、溝部５０を被覆する本体２と、この本体２と同様に構成された幅調整材２４とによって被覆することができる。本体２幅調整材２４とは同様に構成されているため、一体感がえられ、綺麗な納まりで施工することができる。
【００５２】
なお、上記図６ないし図９の実施例ではジョイントストッパ４ａを用いて本体２に隣接して幅調整材２４を設け、上記図１０および図１１の実施例では、ジョイントスペーサ３ａを用いて本体２に隣接して幅調整材２４を設けているが、図１２に示すように、ジョイントストッパ４ａおよびジョイントスペーサ３ａの両方を用いて本体２の両側に隣接するように幅調整材２４を設けることもできる。
【００５３】
また、ジョイントストッパ４ａおよびジョイントスペーサ３ａの延設幅を適宜異なったものに変更することで、本実施の形態とは異なった幅の幅調整材２４を設けることもできる。例えば、本体２に隣接して他の本体２を設けることも可能である。
【００５４】
さらに、本実施の形態では、本体２および幅調整材２４に延設部２３を設けることで、溝ふた１と化粧材５１との間隙を微調整して綺麗な納まりにすることができるようになされているが、既に寸法が決まっている場合や、化粧材５１側を切断して間隙を微調整できるような場合にはこのような延設部２３は不要となる。したがって、溝ふた１としては、この延設部２３が無い本体２および幅調整材２４を用いたものであってもよい。
【産業上の利用可能性】
【００５５】
住宅建物におけるバルコニーの溝ふたとして利用できる。
【図面の簡単な説明】
【００５６】
【図１】（ａ）は本発明に係る溝ふたの全体構成の概略を示す部分省略平面図、（ｂ）は同図（ａ）の側面図である。
【図２】（ａ）は本発明に係る溝ふたの全体構成の概略を示す端面図、（ｂ）は同図（ａ）の分解端面図である。
【図３】本発明に係る溝ふたの全体構成の概略を示す斜視図である。
【図４】本発明に係る溝ふたをバルコニーの溝部に施工した状態を示す部分斜視図である。
【図５】（ａ）および（ｂ）はそれぞれ本発明に係る溝ふたをバルコニーの溝部に施工した状態の一例を示す断面図である。
【図６】本発明に係る溝ふたの他の実施の形態を示す斜視図である。
【図７】（ａ）は図６に係る溝ふたの全体構成の概略を示す端面図、（ｂ）は同図（ａ）の分解端面図である。
【図８】（ａ）および（ｂ）は図６に係る本発明の溝ふたをバルコニーの溝部に施工した状態を示す平面図である。
【図９】（ａ）および（ｂ）はそれぞれ図８の溝ふた構造における溝ふたの施工状態の一例を示す断面図である。
【図１０】（ａ）は本発明に係るさらに他の溝ふたの全体構成の概略を示す端面図、（ｂ）は同図（ａ）の分解端面図である。
【図１１】（ａ）は図１０に係る溝ふたの施工状態を示す部分平面図、（ｂ）は同図（ａ）の断面図である。
【図１２】本発明に係る溝ふた構造のさらに他の実施の形態を示す断面図である。
【符号の説明】
【００５７】
１  溝ふた
１ａ  溝ふた
２  本体
２１  段部
２２  レール部
２３  延設部
２４  幅調整材
２５  ジョイントレール部
３  スペーサ
３ａ  ジョイントスペーサ
３１  係合部
３２  ジョイント係合部
４  ストッパ
４ａ  ジョイントストッパ
４１  係合部
４４  ジョイント係合部
５  バルコニー
５０  溝部
５１  床化粧材
５２  排水口
【図１】
0004983607.tif 000002
【図２】
0004983607.tif 000003
【図３】
0004983607.tif 000004
【図４】
0004983607.tif 000005
【図５】
0004983607.tif 000006
【図６】
0004983607.tif 000007
【図７】
0004983607.tif 000008
【図８】
0004983607.tif 000009
【図９】
0004983607.tif 000010
【図１０】
0004983607.tif 000011
【図１１】
0004983607.tif 000012
【図１２】
0004983607.tif 000013